(57)【要約】【課題】衝突回避機能を有する無線通信システムにおいて、データ信号の輻輳状態の時間の短縮を図ること。【解決手段】無線中継装置と通信を行なう無線送信部２６及び無線受信部２７と、ＤＩＦＳの経過後、バックオフ時間を算出し、当該算出したバックオフ時間経過後にデータ信号を送信した際、無線中継装置からＡＣＫ信号が受信されずにＤＩＦＳが経過した場合、再度、バックオフ時間を算出し、データ信号のデータ量を減少させ、ＤＩＦＳが経過した後であって再算出したバックオフ時間の経過後にデータ信号を再送信させる制御部と、を備える無線端末装置。【選択図】図７
2010177999.tif 000002
【特許請求の範囲】
【請求項１】
無線中継装置と通信を行なう通信部と、
予め設定されている時間間隔の経過後、待機時間を算出し、当該算出した待機時間経過後にデータ信号を送信した際、前記無線中継装置からの応答信号が受信されずに前記時間間隔が経過した場合、再度、前記待機時間を算出し、前記データ信号のデータ量を減少させ、前記時間間隔が経過した後であって前記再算出した待機時間の経過後に前記データ信号を再送信させる制御部と、
を備える無線端末装置。
【請求項２】
前記制御部は、
前記減少させるデータ量を、前記再算出した待機時間が前回算出した待機時間よりも増加した時間だけ送信可能なデータ量よりも大きく設定する、
請求項１に記載の無線端末装置。
【請求項３】
前記制御部は、
前記データ量が減少されたデータ信号を送信した後に前記応答信号を受信した場合、前記時間間隔よりも短い所定時間Ｔの経過後に前記データ量が減少されたデータ信号の残りのデータ信号を送信させる、
請求項１又は２に記載の無線端末装置。
【請求項４】
前記制御部は、
前記データ量を減少したデータ信号を送信した際、前記応答信号とは異なる第２の応答信号を受信した場合、前記データ量が減少されたデータ信号の残りのデータ信号を送信させる、
請求項１又は２に記載の無線端末装置。
【請求項５】
無線端末装置と通信を行なう通信部と、
受信したデータ信号が、データ信号の受信失敗後に受信したデータ信号である場合、応答信号を当該データ信号を送信してきた無線端末装置に送信させ、予め設定されている時間間隔よりも短い所定時間Ｔ待機後に当該無線端末装置から送信されるデータ信号を受信させる制御部と、
を備える無線中継装置。
【請求項６】
無線端末装置と通信を行う通信部と、
受信したデータ信号が、データ量が減少されたデータ信号である場合、
データ量が減少されていないデータ信号を受信した場合に送信する応答信号とは異なる第２の応答信号を前記データ量が減少されたデータ信号を送信してきた前記無線端末装置に送信させ、当該無線端末装置から送信されるデータ信号を受信させる制御部と、
を備える無線中継装置。
【請求項７】
コンピュータを、
無線中継装置と通信を行なう通信手段、
予め設定されている時間間隔の経過後、待機時間を算出し、当該算出した待機時間経過後にデータ信号を送信した際、前記無線中継装置からの応答信号が受信されずに前記時間間隔が経過した場合、再度、前記待機時間を算出し、前記データ信号のデータ量を減少させ、前記時間間隔が経過した後であって前記再算出した待機時間の経過後に前記データ信号を再送信させる制御手段、
として機能させるプログラム。
【発明の詳細な説明】
【技術分野】
【０００１】
本発明は、無線端末装置、無線中継装置及びプログラムに関する。
【背景技術】
【０００２】
近年、無線通信システムのアクセス方式としてＣＳＭＡ／ＣＡ（Carrier Sense Multiple Access with Collision Avoidance；衝突回避機能付きキャリア感知多元接続）が広く適用されている。
【０００３】
このＣＳＭＡ／ＣＡは、他の無線端末装置が電波を出していれば所定期間（ＩＦＳ；Inter Frame Space）待ち、再度、他の無線端末装置が電波を出していなければ、あるランダムな時間の経過後に自身が電波を送信してデータ信号の衝突を回避するものである。
【０００４】
例えば、３つの無線端末装置から無線中継装置へデータ信号を送信する場合、各無線端末装置は、ＤＩＦＳ（Distributed Coordination Function IFS；分散制御用フレーム間隔）の経過後、それぞれ算出されたランダムな時間（バックオフ時間）が経過した後にバックオフ時間が最短な無線端末装置がデータ信号の送信を開始する。無線中継装置は、データ信号を受信すると応答を行なう。その後、データ信号の送信を行なうことができなかった残り２つの無線端末装置は、再度算出したバックオフ時間の経過後、最短のバックオフ時間が設定された無線端末装置がデータの送信を行なう。
【０００５】
また、衝突を回避する方式として、端末装置側で輻輳状態が発生した場合、端末装置がデータ信号の再送時間間隔であるタイムアウト時間を延長させるデータ信号を送信し、当該データ信号を受信した中継装置が当該データ信号に基づいてタイムアウト時間を延長する再送制御方法が開示されている（特許文献１参照）。
【先行技術文献】
【特許文献】
【０００６】
【特許文献１】特開２００８−５０２１号公報
【発明の概要】
【発明が解決しようとする課題】
【０００７】
しかし、バックオフ時間やタイムアウト時間が同じ無線端末装置がある場合、無線中継装置に同時にデータ信号が送信されデータ信号の衝突が発生する。この場合、無線端末装置は、データ信号の衝突が発生した場合には、無線中継装置から応答信号を受信できないため、改めてバックオフ時間やタイムアウト時間を設定してデータ信号の送信機会を待つこととなる。
【０００８】
バックオフ時間は、乱数値とスロットタイムとの積から算出される。乱数値は、０〜ＣＷ（Contention Window）の範囲で生成されるランダムな値である。ＣＷは、ＣＷの最小値Ｃｍｉｎと再送回数（ｎ≧０）とにより下記の式により算出される。
ＣＷ＝（ＣＷｍｉｎ＋１）×２ｎ−１
即ち、ＣＷは、データの再送を行なう度に２倍ずつ増加する。このことから、データ信号の衝突が連続して繰り返されるとＣＷが増加するため、バックオフ時間が増加することとなる。
【０００９】
データ信号の衝突の後には、２の累乗で増加するバックオフ時間、ＤＩＦＳ、データ送信時間がかかり、衝突回数が増加する度にバックオフ時間が増加し、再送までの時間（衝突判定時間）が長くなる。このため、過度に輻輳が起きる無線通信システムでは、衝突判定時間が長くなることで、輻輳を助長させる恐れがあるという問題がある。
【００１０】
本発明の課題は、上記問題に鑑みて、衝突回避機能を有する無線通信システムにおいて、データ信号の輻輳状態の時間の短縮を図ることである。
【課題を解決するための手段】
【００１１】
以上の課題を解決するため、請求項１記載の発明は、無線中継装置と通信を行なう通信部と、予め設定されている時間間隔の経過後、待機時間を算出し、当該算出した待機時間経過後にデータ信号を送信した際、前記無線中継装置からの応答信号が受信されずに前記時間間隔が経過した場合、再度、前記待機時間を算出し、前記データ信号のデータ量を減少させ、前記時間間隔が経過した後であって前記再算出した待機時間の経過後に前記データ信号を再送信させる制御部と、を備える無線端末装置であることを特徴としている。
更に、コンピュータを上述した請求項１記載の発明に示した主要手段として機能させるためのプログラムを提供する（請求項７記載の発明）。
【００１２】
請求項２記載の発明は、請求項１に記載の無線端末装置において、前記制御部は、前記減少させるデータ量を、前記再算出した待機時間が前回算出した待機時間よりも増加した時間だけ送信可能なデータ量よりも大きく設定する、ことを特徴としている。
【００１３】
請求項３記載の発明は、請求項１又は２に記載の無線端末装置において、前記制御部は、前記データ量が減少されたデータ信号を送信した後に前記応答信号を受信した場合、前記時間間隔よりも短い所定時間Ｔの経過後に前記データ量が減少されたデータ信号の残りのデータ信号を送信させる、ことを特徴としている。
【００１４】
請求項４記載の発明は、請求項１又は２に記載の無線端末装置において、前記制御部は、前記データ量を減少したデータ信号を送信した際、前記応答信号とは異なる第２の応答信号を受信した場合、前記データ量が減少されたデータ信号の残りのデータ信号を送信させる、ことを特徴としている。
【００１５】
請求項５記載の発明は、無線端末装置と通信を行なう通信部と、受信したデータ信号が、データ信号の受信失敗後に受信したデータ信号である場合、応答信号を当該データ信号を送信してきた無線端末装置に送信させ、予め設定されている時間間隔よりも短い所定時間Ｔ待機後に当該無線端末装置から送信されるデータ信号を受信させる制御部と、を備える無線中継装置であることを特徴としている。
【００１６】
請求項６記載の発明は、無線端末装置と通信を行う通信部と、受信したデータ信号が、データ量が減少されたデータ信号である場合、データ量が減少されていないデータ信号を受信した場合に送信する応答信号とは異なる第２の応答信号を前記データ量が減少されたデータ信号を送信してきた前記無線端末装置に送信させ、当該無線端末装置から送信されるデータ信号を受信させる制御部と、を備える無線中継装置であることを特徴としている。
【発明の効果】
【００１７】
本発明によれば、無線中継装置から応答信号を受信できない場合、データ量が減少されたデータ信号を送信するため、次のデータ送信機会までの時間を短縮することができ、データ信号の輻輳状態の時間の短縮を図ることができる。
【図面の簡単な説明】
【００１８】
【図１】無線通信システムの概略構成図である。
【図２】無線中継装置の概略構成図である。
【図３】信号のフォーマットの例を示す図である。
【図４】タイプとサブタイプの例を示す図である。
【図５】無線端末装置の概略構成図である。
【図６】実施の形態１のデータ受信処理のフローチャートである。
【図７】実施の形態１のデータ送信処理のフローチャートである。
【図８】実施の形態１のタイミングチャートの例である。
【図９】実施の形態２のデータ受信処理のフローチャートである。
【図１０】実施の形態２のデータ送信処理のフローチャートである。
【図１１】実施の形態２のタイミングチャートの例である。
【図１２】実施の形態３のデータ受信処理のフローチャートである。
【図１３】実施の形態３のデータ送信処理のフローチャートである。
【図１４】本実施の形態３のタイミングチャートの例である。
【発明を実施するための形態】
【００１９】
以下、図を参照して本発明の実施の形態を詳細に説明する。なお、この発明にはこの実施の形態に限定されるものではない。また、この発明の実施の形態は、発明の最も好ましい形態を示すものであり、この発明の用語はこれに限定されない。
【００２０】
〔実施の形態１〕
まず、構成を説明する。
図１に、本実施の形態１における無線通信システムＡの概略構成図を示す。
図１に示すように、無線通信システムＡは、有線ネットワーク３を介して他の無線中継装置又は外部装置と接続された無線中継装置１と、無線中継装置１と無線を介して接続される複数の無線端末装置２と、を備えている。
【００２１】
図２に、無線中継装置１の概略構成図を示す。
図２に示すように、無線中継装置１は、制御部１０、記憶部１１、端末情報用メモリ１２、タイマ１３、無線送信部１４、無線受信部１５、ＳＷ（切替部）１６、有線Ｉ／Ｆ（InterFace）部１７、バッファ１８、アンテナ１９等を備え、各部が電気的に接続されている。
【００２２】
制御部１０は、ＣＰＵ（Central Processing Unit）、ＲＯＭ（Read Only Memory）、ＲＡＭ（Random Access Memory）等を備える。制御部１０は、記憶部１１や端末情報用メモリ１２に記憶されている各種プログラム、各種テーブルやデータ等の中から指定されたプログラム、テーブルやデータを読み出し、ＲＡＭ又は記憶部１１や端末情報用メモリ１２のワークエリアに展開し、上記プログラムとの協働によって各種処理を実行し、その処理結果をＲＡＭ内又は記憶部１１や端末情報用メモリ１２の所定の領域に格納するとともに、無線中継装置１内の各部に指示して、無線中継装置１の動作全般を統括的に制御する。
【００２３】
制御部１０は、無線端末装置２から送信されるデータ信号を受信するデータ受信処理を実行する。
本実施の形態１のデータ受信処理は、無線端末装置２からのデータ信号の受信が完了した場合には応答信号（ＡＣＫ信号）を無線端末装置２に送信する処理である。
【００２４】
図３に、本実施の形態１において使用される信号のフォーマットの例を示す。
図３に示すように、信号は、フレームコントロール（Frame Control）領域Ｐ１、期間／ＩＤ（Duration/ID）領域Ｐ２、アドレス領域Ｐ３、ＦＣＳ（Frame Check Sequence）領域Ｐ４を有するパケットである。
【００２５】
フレームコントロール領域Ｐ１には、プロトコルバージョン（Protocol Version）Ｐ１１、タイプ（TYPE）Ｐ１２、サブタイプ（SUBTYPE）Ｐ１３、To DSＰ１４、From DSＰ１５、モアフラグ（More Flag）Ｐ１６、リトライ（Retry）Ｐ１７、パワー管理Ｐ１８、モアデータ（More Data）Ｐ１９、ＷＥＰＰ２０、オーダ（Order）Ｐ２１が含まれている。
【００２６】
フレームコントロール領域Ｐ１のタイプＰ１２とサブタイプＰ１３によって、信号の種類が定義される。図４にタイプＰ１２とサブタイプＰ１３の例を示す。図４に示すように、タイプＰ１２のタイプ値が「０１」、サブタイプＰ１３のサブタイプ値が「１１０１」、の場合には、制御フレームのＡＣＫ信号であると定義される。
【００２７】
モアフラグＰ１６は、「１」が立つ場合には、当該信号に続くデータ信号が存在することを示す。
【００２８】
記憶部１１は、磁気的、光学的記録媒体又は半導体等の電気的に消去及び書き換えが可能な不揮発性メモリで構成されており、無線中継装置１に固定的に設けられたもの又は着脱自在に装着されるものである。例えば、ＦｅＲＡＭ（Ferroelectric Random Access Memory）、ＭＲＡＭ（Magneto resistive Random Access Memory）、ＯＵＭ（カルコゲニド合金による相変化記録メモリ）等を挙げることができる。また、記憶部１１には、制御部１０により実行される各種プログラム及びこれらプログラムで使用される各種テーブルやデータ等が予め記憶されている。
【００２９】
端末情報用メモリ１２は、電気的に消去及び書き換えが可能なメモリで構成されている。端末情報用メモリ１２には、無線中継装置１自身の通信可能な領域内に存在する無線端末装置２のノードアドレス等の情報が無線端末装置の種類別に格納されており、端末情報記憶部として機能する。
【００３０】
タイマ１３は、無線端末装置２とのデータ信号の通信を行う際に送受信間隔を計時するタイマであり、計時時間が所定間隔に達した旨を示すタイミング信号を制御部１０に出力する。
この送受信間隔は予め設定されており、ＳＩＦＳ（Short Inter Frame Space）や、ＤＩＦＳ（Distributed coordination function Inter Frame Space）等がある。ＤＩＦＳは、ＳＩＦＳよりも長い期間となっている。
【００３１】
ＤＩＦＳは、本実施の形態１で使用するＣＳＭＡ／ＣＡにおいて、搬送波の有無を認識する際にビジー状態のチャネルから信号電力が検出されなくなりアイドル状態に変化したと判断されるまでの予め設定されている時間間隔である。
ＳＩＦＳは、本実施の形態１で使用するＣＳＭＡ／ＣＡにおいて、ＩＥＥＥ８０２．１１で定義されている最短のフレーム送信間隔である。
【００３２】
無線送信部１４は、変調回路やＲＦ（Radio Frequency）回路等を備えており、パケットの送信電力の調整を行うと共に、制御部１０からの指示に応じて送信するデータ信号の符号化を行なってパケットを構成し、構成したパケットの変調を行い、アンテナ１９を介して無線端末装置２へパケットの送信を行う。
【００３３】
無線受信部１５は、復調回路やＲＦ回路等を備えており、パケットの受信感度の調整を行うと共に、アンテナ１９を介して受信したパケットの復調を行い、復調したパケットの解析を行って得られたデータ信号を制御部１０に出力する。
【００３４】
無線送信部１４及び無線受信部１５は、無線端末装置と通信を行う通信部として機能する。
【００３５】
ＳＷ１６は、アンテナ１９と無線送信部１４又は無線受信部１５との間に設けられており、制御部１０からの指示に従って、無線送信部１４からのパケットの送信又はアンテナ１９からのパケットの受信を切替える。
【００３６】
有線Ｉ／Ｆ１７は、所定の通信方式により有線ネットワーク３を介して接続されている他の無線中継装置１又は外部装置と通信を行うための通信制御を行う。
【００３７】
バッファ１８は、有線Ｉ／Ｆ１７を介して受信したデータ信号を一時的に記憶する。
【００３８】
アンテナ１９は、設定された送信電力に応じてパケットの送信、又は設定された受信感度に応じてパケットの受信を行なう。
【００３９】
図５に、無線端末装置２の概略構成図を示す。
図５に示すように、無線端末装置２は、制御部２０、記憶部２１、メモリ２２、タイマ２３、電源制御部２４、表示制御部２５ａ、表示部２５ｂ、無線送信部２６、無線受信部２７、ＳＷ（切替部）２８、アンテナ２９等を備え、各部が電気的に接続されている。また、無線端末装置２は、バッテリＢを備え、電源制御部２４からの制御信号に応じてバッテリＢから各部へ電力が供給される。
【００４０】
制御部２０は、ＣＰＵ、ＲＯＭ、ＲＡＭ等を備え、記憶部２１に記憶されている各種プログラム、各種テーブルやデータの中から指定されたプログラム、テーブルやデータを読み出し、ＲＡＭ内又は記憶部２１内のワークエリアに展開し、上記プログラムとの協働によって各種処理を実行し、その処理結果をＲＡＭ又は記憶部２１の所定の領域に格納するとともに、無線端末装置２内の各部に指示して、無線端末装置２の動作全般を統括的に制御する。
【００４１】
また制御部２０は、データ送信処理を実行する。
本実施の形態１のデータ送信処理は、ＤＩＦＳの経過後、待機時間（バックオフ時間）を算出し、当該算出したバックオフ時間の経過後にデータ信号を送信した際、ＳＩＦＳが経過してもＡＣＫ信号が受信されずにＤＩＦＳが経過した場合、他の無線端末装置が送信するデータ信号との衝突が生じたと判別して、再度、バックオフ時間を算出し、データ信号のデータ量を減少させ、ＤＩＦＳが経過した後であって再算出したバックオフ時間の経過後にデータ信号を再送信させるものである。
【００４２】
データ信号から減少されるデータ量は、衝突回数に基づいて算出されるバックオフ時間に応じて決定され、再算出したバックオフ時間が前回算出したバックオフ時間よりも増加した時間だけ送信可能なデータ量よりも大きく設定される。
【００４３】
記憶部２１は、磁気的、光学的記録媒体又は半導体等の電気的に消去及び書き換えが可能な不揮発性メモリで構成されており、無線端末装置２に固定的に設けられたもの又は着脱自在に装着されるものである。例えば、ＦｅＲＡＭ（Ferroelectric Random Access Memory）、ＭＲＡＭ（Magneto resistive Random Access Memory）、ＯＵＭ（カルコゲニド合金による相変化記録メモリ）等を挙げることができる。また、記憶部２１には、制御部２０により実行される各種プログラム及びこれらプログラムで使用される各種テーブルやデータ等が予め記憶されている。
【００４４】
メモリ２２は、電気的に消去及び書き換えが可能な不揮発性メモリで構成されている。メモリ２２には、自己を識別する端末識別情報（ノードアドレス）が記憶されている。
【００４５】
タイマ２３は、無線中継装置１とのデータ信号の通信を行う際に送受信間隔を計時するタイマであり、計時時間が所定間隔に達した旨を示すタイミング信号を制御部２０に出力する。送信間隔は、例えば、ＳＩＦＳやＤＩＦＳ等である。
【００４６】
電源制御部２４は、制御部２０からの指示に従い、無線端末装置２全体の電源を制御し、無線端末装置２内の各部にバッテリＢからの電力を供給する。
【００４７】
バッテリＢは、例えば、アルカリ乾電池やマンガン乾電池等の一次電池や、ニッケルカドミウム電池やニッケル水素電池、リチウムイオン電池等の二次電池等である。
【００４８】
表示制御部２５ａは、制御部２０から入力される表示指示に従って、各種情報を表示部２５ｂに表示させる。
【００４９】
表示部２５ｂは、ＬＣＤ（Liquid Crystal Display）やＥＬ（Electro Luminescence）ディスプレイ等によって構成され、表示制御部２５ａから入力される信号に応じて各種画面をディスプレイ上に表示する。
【００５０】
無線送信部２６は、変調回路やＲＦ（Radio Frequency）回路等を備えており、パケットの送信電力の調整を行うと共に、制御部２０からの指示に応じて送信するデータ信号の符号化を行なってパケットを構成し、構成したパケットの変調を行い、アンテナ２９を介して無線中継装置１へパケットの送信を行う。
【００５１】
無線受信部２７は、復調回路やＲＦ回路等を備えており、パケットの受信感度の調整を行うと共に、アンテナ２９を介して受信したパケットの復調を行い、復調したパケットの解析を行って得られたデータ信号を制御部２０に出力する。
【００５２】
無線送信部２６及び無線受信部２７は、無線端末装置と通信を行う通信部として機能する。
【００５３】
ＳＷ２８は、アンテナ２９と無線送信部２６又は無線受信部２７との間に設けられており、制御部２０からの指示に従って、無線送信部２６からのパケットの送信又はアンテナ２９からのパケットの受信を切替える。
【００５４】
アンテナ２９は、設定された送信電力に応じてパケットの送信、又は設定された受信感度に応じてパケットの受信を行なう。
【００５５】
次に、図６、図７を参照して本実施の形態１の動作を説明する。
図６に、無線中継装置１において実行される本実施の形態１のデータ受信処理のフローチャートを示す。なお、図６に示すデータ受信処理は、無線中継装置１内の制御部１０と各部との協働により実行されるものであり、無線中継装置１に電力が供給されている間に実行されるものである。
【００５６】
まず、制御部１０は、アンテナ１９を介して無線受信部１５により、データ信号の受信処理を実行させ（ステップＳ１）、受信したデータ信号を解析し、受信完了か否かを判別する（ステップＳ２）。ステップＳ２において受信完了か否かを判別する例としては、例えば、データ信号をチェックサムで計算し、当該計算結果とデータ信号のＦＣＳとを比較し、当該比較結果により判別する誤り検出方式を用いることができる。
【００５７】
受信失敗の場合（ステップＳ２；失敗）、制御部１０は、ステップＳ１の処理に戻る。
受信完了の場合（ステップＳ２；完了）、制御部１０は、データ信号を受信完了したときからＳＩＦＳの待機後（ステップＳ３）、ＡＣＫ信号を無線送信部１４により無線端末装置２に送信させ（ステップＳ４）、ステップＳ１の処理に戻る。
【００５８】
図７に、無線端末装置２において実行される実施の形態１のデータ送信処理のフローチャートを示す。図７に示すデータ送信処理は、無線端末装置２内の制御部２０と各部との協働により実行されるものである。
【００５９】
制御部２０は、衝突回数Ｎを０に初期化し（ステップＳ１１）、無線中継装置１が送信するデータ信号の搬送波を検出していない状態（無線チャネルがアイドル状態）の期間がＤＩＦＳを経過するまでデータ信号の送信を待機する（ステップＳ１２）。
【００６０】
制御部２０は、ＤＩＦＳを経過したか否かを判別する（ステップＳ１３）。
ＤＩＦＳを経過していない場合（ステップＳ１３；ＮＯ）、制御部２０は、ステップＳ１１の処理に戻る。
【００６１】
ＤＩＦＳを経過した場合（ステップＳ１３；ＹＥＳ）、制御部２０は、バックオフ制御処理及びキャリアセンス制御処理を実行する（ステップＳ１４）。バックオフ制御処理は、待機時間（バックオフ時間）を算出して設定し、算出したバックオフ時間が経過するまで待機するものである。また、キャリアセンス制御処理は、バックオフ時間が経過するまで他の無線端末装置から無線中継装置へのデータ送信用の搬送波を検出するものである。
【００６２】
制御部２０は、バックオフ時間が経過するまでに、他の無線端末装置から無線中継装置へのデータ送信用の搬送波を検出したか否かを判別して、無線チャネルがアイドル状態か否かを判別する（ステップＳ１５）。
【００６３】
バックオフ時間が経過するまでに他の無線端末装置から無線中継装置へのデータ送信用の搬送波を検出した場合（ステップＳ１５；ＮＯ）、制御部２０は、ステップＳ１２の処理に戻る。
【００６４】
バックオフ時間が経過するまでに、他の無線端末装置から無線中継装置へのデータ送信用の搬送波を検出しなかった場合（ステップＳ１５；ＹＥＳ）、制御部２０は、アンテナ２９を介して無線送信部２６によりデータ信号を送信させる（ステップＳ１６）。
【００６５】
制御部２０は、データ信号の送信が完了したときから無線中継装置から送信されるデータ信号の搬送波を検出するまでの待ち時間がＳＩＦＳかＤＩＦＳかを判別する（ステップＳ１７）。
【００６６】
待ち時間がＤＩＦＳの場合（ステップＳ１７；ＤＩＦＳ）、制御部２０は、バックオフ時間をリセットし（ステップＳ１８）、他の無線端末装置が送信するデータ信号との衝突が生じたと判別して衝突回数Ｎに１を加算して（ステップＳ１９）、送信するデータ信号のデータ量を減少させ（ステップＳ２０）、ステップＳ１４の処理に戻る。
【００６７】
待ち時間がＳＩＦＳの場合（ステップＳ１７；ＳＩＦＳ）、制御部２０は、無線中継装置１から送信されたＡＣＫ信号をアンテナを介して無線受信部２７により受信させ（ステップＳ２１）、送信すべきデータ信号がないか否か、即ち、全てのデータ信号の送信が完了したか否かを判別する（ステップＳ２２）。
【００６８】
全てのデータ信号の送信が完了してない場合（ステップＳ２２；ＮＯ）、制御部２０は、ステップＳ１１の処理に戻る。全てのデータ信号の送信が完了した場合（ステップＳ２２；ＹＥＳ）、制御部２０は、データ送信処理を終了する。
【００６９】
図８に、本実施の形態１のタイミングチャートの例を示す。
図８に示すタイミングチャートの例は、１つの無線中継装置に対して３つの無線端末装置Ａ〜Ｃからデータ信号が送信される場合の例を示す。
【００７０】
まず、時刻ｔ１のとき、無線チャネルがアイドル状態の期間がＤＩＦＳを経過すると、無線端末装置Ａ〜Ｃは、それぞれバックオフ時間を算出して、算出したバックオフ時間が経過するまでキャリアセンスを行なう。
【００７１】
時刻ｔ２のとき、無線端末装置Ａのバックオフ時間が無線端末装置Ｂ、Ｃのバックオフ時間よりも短いため、無線端末装置Ａは、無線端末装置Ｂ、Ｃよりも早くデータ送信機会を得ることとなる。無線端末装置Ａは、バックオフ時間が経過すると、データ信号を送信する。無線端末装置Ｂ、Ｃは、バックオフ時間が経過するまでに、無線端末装置Ａのデータ送信用の搬送波を検出するため、再度、待機状態となる。
【００７２】
時刻ｔ４のとき、無線端末装置Ａは、データ信号の送信が完了したとき（時刻ｔ３）からＳＩＦＳの経過後に無線中継装置からＡＣＫ信号を受信する。
【００７３】
時刻ｔ６のとき、無線中継装置がＡＣＫ信号を送信完了したとき（時刻ｔ５）から無線チャネルがアイドル状態の期間がＤＩＦＳを経過すると、無線端末装置Ｂ、Ｃは、それぞれバックオフ時間を算出して、算出したバックオフ時間が経過するまでキャリアセンスを行なう。
【００７４】
時刻ｔ７のとき、無線端末装置Ｂ、Ｃのバックオフ時間は同じ時間であるため、無線端末装置Ｂ、Ｃは、同時にデータ信号を送信する。無線中継装置は、無線端末装置Ｂ、Ｃから同時にデータ信号が送信されるため、データ信号の受信に失敗してＡＣＫ信号を送信しない。即ち、衝突が発生する。
【００７５】
時刻ｔ９のとき、無線端末装置Ｂ、Ｃは、データ信号の送信が完了したとき（時刻ｔ８）からＤＩＦＳが経過後、バックオフ時間をリセットし、データ信号のデータ量を減少させるとともに、再度、バックオフ時間を算出して算出したバックオフ時間が経過するまでキャリアセンスを行なう。
【００７６】
時刻ｔ１０のとき、無線端末装置Ｂ、Ｃのバックオフ時間は同じ時間であるため、無線端末装置Ｂ、Ｃは、同時にデータ信号を送信する。無線中継装置は、無線端末装置Ｂ、Ｃから同時にデータ信号が送信されるため、データ信号の受信に失敗してＡＣＫ信号を送信しない。即ち、衝突が発生する。
【００７７】
時刻ｔ１２のとき、無線端末装置Ｂ、Ｃは、データ信号の送信が完了したとき（時刻ｔ１１）からＤＩＦＳ経過後、バックオフ時間をリセットし、データ信号のデータ量を減少させるとともに、再度、バックオフ時間を算出して算出したバックオフ時間が経過するまでキャリアセンスを行なう。
【００７８】
時刻ｔ１３のとき、無線端末装置Ｂのバックオフ時間が無線端末装置Ｃのバックオフ時間よりも短いため、無線端末装置Ｂは、無線端末装置Ｃよりも早くデータ送信機会を得ることとなる。無線端末装置Ｂは、バックオフ時間が経過すると、データ信号を送信する。無線端末装置Ｃは、バックオフ時間が経過するまでに、無線端末装置Ｂのデータ送信用の搬送波を検出するため、再度、待機状態となる。
【００７９】
時刻ｔ１５のとき、無線端末装置Ｂは、データ信号の送信が完了したとき（時刻ｔ１４）からＳＩＦＳの経過後に無線中継装置からＡＣＫ信号を受信する。
【００８０】
時刻ｔ１７のとき、無線中継装置がＡＣＫ信号を送信完了したとき（時刻ｔ１６）から無線チャネルがアイドル状態の期間がＤＩＦＳが経過すると、無線端末装置Ｃは、バックオフ時間を算出して、算出したバックオフ時間が経過するまでキャリアセンスを行なう。そして、無線端末装置Ｃは、バックオフ時間が経過すると、データ信号を送信する。
【００８１】
以上のように、本実施の形態１によれば、無線端末装置は、無線中継装置からＡＣＫ信号を受信できない場合、データ量が減少されたデータ信号を送信するため、次のデータ送信機会までの時間を短縮することができる。従って、データ信号のデータ量が衝突の度に減少されるため、衝突が続いてもデータ信号の輻輳状態の時間の短縮を図ることができる。
【００８２】
更に、無線端末装置は、減少させるデータ量を、再算出したバックオフ時間が前回算出したバックオフ時間よりも増加した時間だけ送信可能なデータ量よりも大きく設定することができるため、衝突の度に増加するバックオフ時間による次のデータ送信機会までの時間の延長を防止できる。
【００８３】
〔実施の形態２〕
実施の形態１では、データ量を減少させたデータ信号の残りのデータ信号を送信する際、再度、衝突が生じてしまうと、全てのデータ信号を受信するまでに時間が掛かるおそれがある。
本実施の形態２では、当該問題を改善したものであり、データ量を減少させたデータ信号の送信が完了した場合には、他の無線端末装置からのデータ信号の送信よりも優先させて、当該データ信号の残りのデータ信号を送信させるものである。
【００８４】
まず、構成を説明する。
本実施の形態２における無線通信システムＡの概略構成は、実施の形態１と同様であるため、図示及び説明は省略する。
【００８５】
本実施の形態２における無線中継装置１の概略構成は、実施の形態１と同様であるため、図示は省略し、異なる部分のみ説明する。
【００８６】
制御部１０は、無線端末装置２から送信されるデータ信号を受信するデータ受信処理を実行する。
本実施の形態２のデータ受信処理は、受信したデータ信号が、データ信号の受信失敗後でないデータ信号である場合、即ち、衝突を起こさず受信したデータ信号である場合には、ＡＣＫ信号を無線端末装置２に送信する。一方、受信したデータ信号が、データ信号の受信失敗後に受信したデータ信号である場合、即ち、衝突を起した後に再度受信したデータである場合には、応答信号を当該データ信号を送信してきた無線端末装置に送信させ、予め設定された所定時間Ｔの待機後に当該無線端末装置から送信されるデータ信号を受信するものである。所定時間Ｔは、ＳＩＦＳよりも長くＤＩＦＳよりも短い時間である。
【００８７】
なお、本実施の形態２において使用される信号のフォーマットは、実施の形態１と同様であるため、図示及び説明は省略する。
【００８８】
本実施の形態２における無線端末装置２の概略構成は、実施の形態１と同様であるため、図示は省略し、異なる部分のみ説明する。
【００８９】
制御部２０は、データ送信処理を実行する。
本実施の形態２のデータ送信処理は、ＤＩＦＳの経過後、待機時間（バックオフ時間）を算出し、当該算出したバックオフ時間の経過後にデータ信号を送信した際、ＳＩＦＳが経過してもＡＣＫ信号が受信されずにＤＩＦＳが経過した場合、他の無線端末装置が送信するデータ信号との衝突が生じたと判別して、再度、バックオフ時間を算出し、データ信号のデータ量を減少させ、ＤＩＦＳが経過した後であって再算出したバックオフ時間の経過後にデータ信号を再送信させるものである。なお、データ信号から減少されるデータ量は、実施の形態１と同様である。
【００９０】
更に、本実施の形態２のデータ送信処理は、データ量を減少したデータ信号を送信した後にＡＣＫ信号を受信した場合、所定時間Ｔの経過後にデータ量が減少されたデータ信号の残りのデータ信号を送信させるものである。
【００９１】
次に、図９、図１０を参照して本実施の形態２の動作を説明する。
図９に、無線中継装置１において実行される実施の形態２のデータ受信処理のフローチャートを示す。なお、図９に示すデータ受信処理は、無線中継装置１内の制御部１０と各部との協働により実行されるものであり、無線中継装置１に電力が供給されている間に実行されるものである。
【００９２】
まず、制御部１０は、衝突回数Ｎを０に初期化する（ステップＳ３１）。そして制御部１０は、アンテナ１９を介して無線受信部１５により、データ信号の受信処理を実行させ（ステップＳ３２）、受信したデータ信号を解析して、受信完了か否かを判別する（ステップＳ３３）。ステップＳ３３において受信完了か否かを判別する例は、実施の形態１と同様とする。
【００９３】
受信失敗の場合（ステップＳ３３；失敗）、制御部１０は、衝突回数Ｎに１を加算して（ステップＳ３４）、ステップＳ３２の処理に戻る。
【００９４】
受信完了の場合（ステップＳ３３；完了）、制御部１０は、衝突回数Ｎが０よりも大きいか否かを判別する（ステップＳ３５）。
【００９５】
衝突回数Ｎが０以下の場合（ステップＳ３５；ＮＯ）、制御部１０は、データ信号を受信完了したときからＳＩＦＳの待機後（ステップＳ３６）、ＡＣＫ信号を無線送信部１４により無線端末装置２に送信させ（ステップＳ３７）、ステップＳ３１の処理に戻る。
衝突回数Ｎが０以下の場合（ステップＳ３５；ＮＯ）とは、受信完了したデータ信号が、データ信号の受信失敗後でないデータ信号、即ち、衝突を起こさず受信したデータ信号であることとなる。
【００９６】
衝突回数Ｎが０よりも大きい場合（ステップＳ３５；ＹＥＳ）、制御部１０は、データ信号を受信完了したときからＳＩＦＳの待機後（ステップＳ３８）、ＡＣＫ信号を無線送信部１４により無線端末装置２に送信さる（ステップＳ３９）。
衝突回数Ｎが０よりも大きい場合（ステップＳ３５；ＹＥＳ）とは、受信完了したデータ信号が、データ信号の受信失敗後に受信したデータ信号である場合、即ち、衝突を起した後に再度受信したデータ信号であることとなる。
【００９７】
制御部１０は、ＡＣＫ信号の送信完了後から所定時間Ｔの待機後（ステップＳ４０）、ステップＳ３２で受信したデータ信号に続く残りのデータ信号をアンテナ１９を介して無線受信部１５により受信し（ステップＳ４１）、ステップＳ３１の処理に戻る。
【００９８】
図１０に、無線端末装置２において実行される実施の形態２のデータ送信処理のフローチャートを示す。図１０に示すデータ送信処理は、無線端末装置２内の制御部２０と各部との協働により実行されるものである。
【００９９】
ステップＳ５１〜Ｓ６１は、実施の形態１のステップＳ１１〜Ｓ２１と同様であるため、説明は省略する。
【０１００】
制御部２０は、ＡＣＫ信号を受信すると、衝突回数が０よりも大きいか否かを判別して、データ量を減少したデータ信号を送信した後にＡＣＫ信号を受信したか否か、即ち、衝突後にデータ信号を送信したかを判別する（ステップＳ６２）。
【０１０１】
衝突回数Ｎが０以下である場合（ステップＳ６２；ＮＯ）、制御部２０は、ステップＳ６５に進む。
衝突回数Ｎが０以下である場合（ステップＳ６２；ＮＯ）とは、データ量が減少されていないデータ信号を送信した後にＡＣＫ信号を受信した、即ち、衝突を起こさずにデータ信号を送信したこととなる。
【０１０２】
衝突回数Ｎが０より大きい場合（ステップＳ６２；ＹＥＳ）、制御部２０は、ＡＣＫ信号を受信完了したときから所定時間Ｔが経過するまで待機し（ステップＳ６３）、所定時間Ｔが経過したときにステップＳ５６で送信したデータ信号に続く残りのデータ信号をアンテナ２９を介して無線送信部２６により送信させる（ステップＳ６４）。
衝突回数Ｎが０より大きい場合（ステップＳ６２；ＹＥＳ）とは、データ量を減少したデータ信号を送信した後にＡＣＫ信号を受信した、即ち、衝突を起こした後にデータ信号を送信したこととなる。
【０１０３】
制御部２０は、ステップＳ６２；ＮＯ後、又は、ステップＳ６４後、送信すべきデータ信号がないか否か、即ち、全てのデータ信号の送信が完了したか否かを判別する（ステップＳ６５）。
【０１０４】
全てのデータ信号の送信が完了してない場合（ステップＳ６５；ＮＯ）、制御部２０は、ステップＳ５１の処理に戻る。全てのデータ信号の送信が完了した場合（ステップＳ６５；ＹＥＳ）、制御部２０は、データ送信処理を終了する。
【０１０５】
図１１に、本実施の形態２のタイミングチャートの例を示す。
図１１に示すタイミングチャートの例は、１つの無線中継装置に対して３つの無線端末装置Ａ〜Ｃからデータ信号が送信される場合の例を示す。
なお、時刻ｔ２１〜ｔ３３は、実施の形態１のタイミングチャートの時刻ｔ１〜ｔ１３と同様であるため、説明は省略する。
【０１０６】
時刻ｔ３５のとき、無線端末装置Ｂは、データ信号を送信完了したとき（時刻ｔ３４）からＳＩＦＳの経過後に無線中継装置からＡＣＫ信号を受信する。
【０１０７】
時刻ｔ３７のとき、無線中継装置がＡＣＫ信号を送信完了したとき（時刻ｔ３６）から所定時間Ｔが経過すると、無線端末装置Ｂは、時刻ｔ３３に送信したデータ信号に続く残りのデータ信号を無線中継装置に送信する。
【０１０８】
無線端末装置Ｂは、残りのデータ信号の送信が完了してＳＩＦＳの経過後に、無線中継装置からＡＣＫ信号を受信する。また、無線端末装置Ｂのデータ信号の送信完了後は、無線端末装置Ｃが実施の形態１の時刻ｔ１７以降の動作を行なう。
【０１０９】
以上のように、本実施の形態２によれば、実施の形態１と同様の効果を得られるのは勿論のこと、無線端末装置は、データ量を減少したデータ信号の送信機会が得られた後に、ＤＩＦＳよりも短い所定時間Ｔが経過した後に残りのデータ信号を送信することができるため、残りのデータ信号の送信機会を他の無線端末装置が送信するデータ信号よりも優先させて送信できる。従って、減少させた残りのデータ量を送信する際、再度、衝突が生じてしまったり、全てのデータ信号を受信するまでに時間がかかってしまったりという問題を防止できる。
【０１１０】
また、無線中継装置は、受信したデータ信号が、データ信号の受信失敗後に受信したデータ信号である場合、ＤＩＦＳよりも短い所定時間Ｔが経過した後に残りのデータ信号を受信することができるため、残りのデータ信号を続けて受信することができる。従って、無線中継装置は、残りのデータ受信機会までの時間を短縮することができ、データ信号の輻輳状態の時間の短縮を図ることができる。
【０１１１】
〔実施の形態３〕
実施の形態１では、データ量を減少させたデータ信号の残りのデータ信号を送信する際、再度、衝突が生じてしまうと、全てのデータ信号を受信するまでに時間が掛かるおそれがある。
本実施の形態３では、当該問題を改善したものであり、データ量を減少させたデータ信号の送信が完了した場合には、他の無線端末装置からのデータ信号の送信よりも優先させて、当該データ信号の残りのデータ信号を送信させるものである。
【０１１２】
まず、構成を説明する。
本実施の形態３における無線通信システムＡの概略構成は、実施の形態１と同様であるため、図示及び説明は省略する。
【０１１３】
本実施の形態３における無線中継装置１の概略構成は、実施の形態１と同様であるため、図示は省略し、異なる部分のみ説明する。
【０１１４】
制御部１０は、無線端末装置２から送信されるデータ信号を受信するデータ受信処理を実行する。
本実施の形態３のデータ受信処理は、受信したデータ信号がデータ量が減少されていないデータ信号である場合、即ち、衝突を起こさず受信したデータ信号である場合には、ＡＣＫ信号を無線端末装置２に送信する。一方、受信したデータ信号が、データ量が減少されたデータ信号である場合、即ち、衝突を起した後に再度受信したデータ信号である場合には、データ量が減少されていないデータ信号を受信した場合に送信するＡＣＫ信号とは異なる第２の応答信号（ＡＣＫ２信号）をデータ量が減少されたデータ信号を送信してきた無線端末装置に送信させ、当該無線端末装置から送信されるデータ信号を受信させるものである。
【０１１５】
なお、本実施の形態３において使用される信号のフォーマットは、実施の形態１と同様であるため、図示及び説明は省略する。
【０１１６】
本実施の形態３のＡＣＫ２信号は、例えば、タイプＰ１２のタイプ値が「０１」、サブタイプＰ１３のサブタイプ値が「００００」〜「１００１」のいずれか（例えば、「０００１」）、と定義されているものとする。
【０１１７】
本実施の形態３における無線端末装置２の概略構成は、実施の形態１と同様であるため、図示は省略し、異なる部分のみ説明する。
【０１１８】
制御部２０は、データ送信処理を実行する。
本実施の形態３のデータ送信処理は、ＤＩＦＳの経過後、待機時間（バックオフ時間）を算出し、当該算出したバックオフ時間の経過後にデータ信号を送信した際、ＳＩＦＳが経過してもＡＣＫ信号が受信されずにＤＩＦＳが経過した場合、他の無線端末装置が送信するデータ信号との衝突が生じたと判別して、再度、バックオフ時間を算出し、データ信号のデータ量を減少させ、ＤＩＦＳが経過した後であって再算出したバックオフ時間の経過後にデータ信号を再送信させるものである。なお、データ信号から減少されるデータ量は、実施の形態１と同様である。
【０１１９】
更に、本実施の形態３のデータ送信処理は、データ量を減少したデータ信号を送信した際、ＡＣＫ２信号を受信した場合には、データ量が減少されたデータ信号の残りのデータ信号を送信させるものである。
【０１２０】
次に、図１２、図１３を参照して本実施の形態３の動作を説明する。
図１２に、無線中継装置１において実行される実施の形態３のデータ受信処理のフローチャートを示す。なお、図１２に示すデータ受信処理は、無線中継装置１内の制御部１０と各部との協働により実行されるものであり、無線中継装置１に電力が供給されている間に実行されるものである。
【０１２１】
まず、制御部１０は、アンテナ１９を介して無線受信部１５により、データ信号の受信処理を実行させ（ステップＳ７１）、受信したデータ信号を解析して、受信完了か否かを判別する（ステップＳ７２）。ステップＳ７２において受信完了か否かを判別する例は、実施の形態１と同様とする。
【０１２２】
受信失敗の場合（ステップＳ７２；失敗）、制御部１０は、ステップＳ７１の処理に戻る。
受信完了の場合（ステップＳ７２；完了）、制御部１０は、ステップＳ７１で受信したデータ信号に続く残りのデータ信号があるか否か、即ち、受信したデータ信号がデータ量が減少されたデータ信号であるか否かを判別する（ステップＳ７３）。ステップＳ７３では、例えば、ステップＳ７１で受信したデータ信号のモアフラグが参照され、当該モアフラグが１であるか否かにより、残りのデータ信号があるか否か、即ち、データ量が減少されたデータ信号か否かが判別される。
【０１２３】
残りのデータ信号がない場合、例えば、モアフラグが１でない場合（ステップＳ７３；ＮＯ）、制御部１０は、データ信号を受信完了したときからＳＩＦＳの待機後（ステップＳ７４）、ＡＣＫ信号を無線送信部１４により無線端末装置２に送信させ（ステップＳ７５）、ステップＳ７１の処理に戻る。
残りのデータ信号がない場合（ステップＳ７３；ＮＯ）とは、受信完了したデータ信号が、データ量が減少されていないデータ信号である、即ち、衝突を起こさず受信したデータ信号であることとなる。
【０１２４】
未受信の残りのデータ信号がある場合、例えば、モアフラグが１である場合（ステップＳ７３；ＹＥＳ）、制御部１０は、データ信号を受信完了したときからＳＩＦＳの待機後（ステップＳ７６）、ＡＣＫ２信号を無線送信部１４により無線端末装置２に送信させる（ステップＳ７７）。
残りのデータ信号がある場合（ステップＳ７３；ＹＥＳ）とは、受信完了したデータ信号が、データ量が減少されたデータ信号である、即ち、衝突を起こした後に再度受信したデータ信号であることとなる。
【０１２５】
そして制御部１０は、ＡＣＫ２信号の送信完了後からＳＩＦＳの待機後（ステップＳ７８）、ステップＳ７１で受信したデータ信号に続く残りのデータ信号をアンテナ１９を介して無線受信部１５により受信し（ステップＳ７９）、ステップＳ７１の処理に戻る。
【０１２６】
図１３に、無線端末装置２において実行される実施の形態３のデータ送信処理のフローチャートを示す。図１３に示すデータ送信処理は、無線端末装置２内の制御部２０と各部との協働により実行されるものである。
【０１２７】
ステップＳ８１〜Ｓ９０は、実施の形態１のステップＳ１１〜Ｓ２０と同様であるため、説明は省略する。
【０１２８】
待ち時間がＳＩＦＳの場合（ステップＳ８７；ＳＩＦＳ）、制御部２０は、無線中継装置１からＡＣＫ信号又はＡＣＫ２信号のどちらかを受信したかを判別する（ステップＳ９１）。ステップＳ９１では、例えば、受信した信号のタイプ及びサブタイプを参照することで、ＡＣＫ信号又はＡＣＫ２信号のどちらかであるかが判別される。
【０１２９】
無線中継装置１からＡＣＫ信号を受信した場合（ステップＳ９１；ＡＣＫ）、制御部２０は、ステップＳ９３の処理に進む。
【０１３０】
無線中継装置１からＡＣＫ２信号を受信した場合（ステップＳ９１；ＡＣＫ２）、制御部２０は、ＳＩＦＳが経過したときにステップＳ８６で送信したデータ信号に続く残りのデータ信号をアンテナ２９を介して無線送信部２６により送信させる（ステップＳ９２）。
【０１３１】
制御部２０は、ステップＳ９１；ＡＣＫ後、又は、ステップＳ９２後、送信すべきデータ信号がないか否か、即ち、全てのデータ信号の送信が完了したか否かを判別する（ステップＳ９３）。
【０１３２】
全てのデータ信号の送信が完了してない場合（ステップＳ９３；ＮＯ）、制御部２０は、ステップＳ８１の処理に戻る。全てのデータ信号の送信が完了した場合（ステップＳ９３；ＹＥＳ）、制御部２０は、データ送信処理を終了する。
【０１３３】
図１４に、本実施の形態３のタイミングチャートの例を示す。
図１４に示すタイミングチャートの例は、１つの無線中継装置に対して３つの無線端末装置Ａ〜Ｃからデータ信号が送信される場合の例を示す。
なお、時刻ｔ４１〜ｔ５３は、実施の形態１のタイミングチャートの時刻ｔ１〜ｔ１３と同様であるため、説明は省略する。
【０１３４】
時刻ｔ５４のとき、無線中継装置は、受信したデータ信号に続く残りのデータ信号があると判別し、ＳＩＦＳの経過後にＡＣＫ２信号を無線端末装置に送信する。そして、時刻ｔ５５のとき、無線端末装置Ｂは、データ信号を送信完了したとき（時刻ｔ５４）からＳＩＦＳの経過後に無線中継装置からＡＣＫ２信号を受信する。
【０１３５】
時刻ｔ５７のとき、無線中継装置がＡＣＫ２信号を送信完了したとき（時刻ｔ３６）からＳＩＦＳが経過すると、無線端末装置Ｂは、時刻ｔ５３に送信したデータ信号に続く残りのデータ信号を無線中継装置に送信する。
【０１３６】
無線端末装置Ｂは、残りのデータ信号の送信が完了してＳＩＦＳの経過後に、無線中継装置からＡＣＫ信号を受信する。また、無線端末装置Ｂのデータ信号の送信完了後は、無線端末装置Ｃが実施の形態１の時刻ｔ１７以降の動作を行なう。
【０１３７】
以上のように、本実施の形態３によれば、実施の形態１と同様の効果を得られるのは勿論のこと、無線端末装置は、データ量を減少したデータ信号の送信機会が得られた後に、ＡＣＫ２信号を受信した後に残りのデータ信号を送信することができるため、残りのデータ信号の送信機会を他の無線端末装置が送信するデータ信号よりも優先させて送信できる。従って、減少させた残りのデータ量を送信する際、再度、衝突が生じてしまったり、全てのデータ信号を受信するまでに時間がかかってしまったりという問題を防止できる。
【０１３８】
また、無線中継装置は、受信したデータ信号が、データ信号の受信失敗後に受信したデータ信号である場合、ＡＣＫ２信号を当該データ信号を送信してきた無線端末装置に送信させた後、当該無線端末装置から送信されるデータ信号を受信できるため、残りのデータ信号を続けて受信することができ、残りのデータ送信機会までの時間を短縮することができ、データ信号の輻輳状態の時間の短縮を図ることができる。
【符号の説明】
【０１３９】
１  無線中継装置
２  無線端末装置
３  有線ネットワーク
１０  制御部
１１  記憶部
１２  端末情報用メモリ
１３  タイマ
１４  無線送信部
１５  無線受信部
１６  ＳＷ
１７  有線Ｉ／Ｆ部
１８  バッファ
１９  アンテナ
２０  制御部
２１  記憶部
２２  メモリ
２３  タイマ
２４  電源制御部
２５ａ  表示制御部
２５ｂ  表示部
２６  無線送信部
２７  無線受信部
２８  ＳＷ
２９  アンテナ
Ａ  無線通信システム
Ｂ  バッテリ
Ｐ１  フレームコントロール領域
Ｐ２  期間／ＩＤ領域
Ｐ３  アドレス領域
Ｐ４  ＦＣＳ領域
Ｐ１１  プロトコルバージョン
Ｐ１２  タイプ
Ｐ１３  サブタイプ
Ｐ１４  Ｔｏ  ＤＳ
Ｐ１５  Ｆｒｏｍ  ＤＳ
Ｐ１６  モアフラグ
Ｐ１７  リトライ
Ｐ１８  パワー管理
Ｐ１９  モアデータ
Ｐ２０  ＷＥＰ
Ｐ２１  オーダ
【図１】
2010177999.tif 000003
【図２】
2010177999.tif 000004
【図３】
2010177999.tif 000005
【図４】
2010177999.tif 000006
【図５】
2010177999.tif 000007
【図６】
2010177999.tif 000008
【図７】
2010177999.tif 000009
【図８】
2010177999.tif 000010
【図９】
2010177999.tif 000011
【図１０】
2010177999.tif 000012
【図１１】
2010177999.tif 000013
【図１２】
2010177999.tif 000014
【図１３】
2010177999.tif 000015
【図１４】
2010177999.tif 000016